(57)【要約】【課題】  洗浄用や化粧用などの液体入り容器を、所定箇所で移動しないように固定して持運びや持去られイタズラなどを防止し、かつ内容液の補充や容器本体の交換も簡単に可能となる容器固定ホルダを提供することにある。【解決手段】  容器固定ホルダは、頂部に細口を有する容器２１に対して、この容器２１の底部を収容する受け台１と、この容器２１の細口周辺を固定する押えリング２と、上記受け台１の片側壁部又は両側壁部と上記押えリング２の片側端縁又は両側端縁との間を連結する支えアーム３と、を有することを特徴とする。【選択図】  図１
2015048092.tif 000002
【特許請求の範囲】
【請求項１】
頂部に細口を有する容器に対して、この容器底部を収容する受け台と、この容器細口周辺を固定する押えリングと、上記受け台の片側壁部又は両側壁部と上記押えリングの片側端縁又は両側端縁との間を連結する支えアームと、を有することを特徴とする容器固定ホルダ。
【請求項２】
上記受け台を箱状に形成し、押えリングを円環状に形成し、支えアームを帯状に形成し、この支えアームの下端部に設けた上下方向の長穴、及び又は前記受け台の水平方向に設けた長穴を備え、上記支えアームを上記受け台の側部に移動可能に取付部材にて固定形成したことを特徴とする請求項１記載の容器固定ホルダ。
【請求項３】
上記受け台の片側壁部又は両側壁部と上記押えリングの片側端縁又は両側端縁との間を連結する支えアームは、受け台の側壁部に設けた取付受具と支えアーム下端部に設けた係止部とからなる着脱自在の差込部材にて固定形成したことを特徴とする請求項１記載の容器固定ホルダ。
【請求項４】
上記取付部材又は差込部材の上部を覆うスライドカバーを設けたことを特徴とする請求項２又は請求項３記載の容器固定ホルダ。
【発明の詳細な説明】
【技術分野】
【０００１】
この発明は、洗浄剤や化粧品などの液体が入った容器を、所定箇所で移動しないように固定して使用するための容器固定ホルダに関するものである。
【背景技術】
【０００２】
図１２に例示するように、手指を洗浄し消毒する洗浄剤や消毒剤などを入れる容器２１はポンプ式ボトルであって、洗面所や玄関入口などのテーブルや台の上に置いて使用している。
２２は手押しポンプ、２３は噴出ノズルである。このような容器２１は、主にポリエチレン等の合成樹脂材料で、図のような細口の角型や丸型の形状が一般的である。
【０００３】
特許文献１の実開平０６−０５３４４３号公報「リフィル容器」の考案には、シャンプー、リンスや台所洗剤などの液体用内容物の詰め替え用のリフィル容器において、注出口付きスタンディングパウチと、そのパウチを保持する支持体と、パウチの注出口キャップとよりなるリフィル容器であって、支持体として、前板と、パウチの注出口挿入孔を有する天板と、背板と、容器固定突起を有する底板とを順に折り目を介して連設する構成が開示されている。
【０００４】
特許文献２の特開平０７−２９１２９２号公報「容器ホルダー」の発明には、液体化学薬品等が充填されている容器を保持する容器ホルダーに関するもので、上側ホルダー部と下側ホルダー部とからなり、上側ホルダー部には瓶の頭部に嵌合する嵌合部材とプレートと有し、下側ホルダー部には瓶の底面部を支持する支持部材とプレートを有し、中間部を中空状の挿入杆とハンドル部とで結合した構成が開示されている。
【０００５】
特許文献３の特開平１０−１１９６２７号公報「車載用容器ホルダ」の発明には、いろいろなサイズの飲料用容器を固定するもので、トレーとトッププレートと本体フレームを備え、上下から容器を挟持する構成が開示されている。
【０００６】
特許文献４の特開２０１２−１５３４１９号公報「容器ホルダー」の発明には、ペットボトルの首部を係止し、人が飲料用に腰バンドなどに引っ掛けて携帯して使用する構成が開示されている。
【先行技術文献】
【特許文献】
【０００７】
【特許文献１】実開平０６−０５３４４３号公報
【特許文献２】特開平０７−２９１２９２号公報
【特許文献３】特開平１０−１１９６２７号公報
【特許文献４】特開２０１２−１５３４１９号公報
【発明の概要】
【発明が解決しようとする課題】
【０００８】
図１２に示すような手指消毒用洗浄剤を入れるポンプ式ボトルの容器２１は、所定場所に置いて移動することなく安定設置して使用するもので、持運びされたり、持去られたり、イタズラされたりしないように管理する必要があった。
【０００９】
特許文献１の「リフィル容器」の考案は、シャンプーや洗剤などの液体用内容物の詰め替えが容易で、スタンディングパウチ支持体への装着及び脱着も容易であるが、所定場所に固定設置する容器に適用するものではない。
【００１０】
特許文献２の「容器ホルダー」の発明は、液体化学薬品の容器や瓶の脱着が容易で、かつ使用時の落下破損を防止し安定化を図ることができるが、ハンドル部やグリップ部を手で持って移動して使用するもので、台上に固定設置して手指消毒液を使用するようにしたものではない。
【００１１】
特許文献３の「車載用容器ホルダ」の発明は、飲料用容器を簡単な操作で取付けや取外しをすることができる車載用の容器ホルダであって、台上に容器を固定設置して使用するものではない。
【００１２】
特許文献４の「容器ホルダー」の発明は、飲料用ペットボトルや瓶等の容器の首部を係止し、人が携帯する際に安定して保持することができるが、台上に容器を固定設置して使用するものではない。
【００１３】
この発明は、上述のような従来技術が有する問題点に鑑みてなされたもので、その目的とするところは、洗浄用や化粧用などの液体入り容器を、所定箇所で移動しないように固定して持運びや持去られイタズラなどを防止し、かつ内容液の補充や容器本体の交換も簡単に可能となる容器固定ホルダを提供することにある。
【課題を解決するための手段】
【００１４】
請求項１の発明に係る容器固定ホルダは、頂部に細口を有する容器に対して、この容器底部を収容する受け台と、この容器細口周辺を固定する押えリングと、上記受け台の片側壁部又は両側壁部と上記押えリングの片側端縁又は両側端縁との間を連結する支えアームと、を有することを特徴とする。
【００１５】
請求項２の発明に係る容器固定ホルダは、上記請求項１記載の受け台を箱状に形成し、押えリングを円環状に形成し、支えアームを帯状に形成し、この支えアームの下端部に設けた上下方向の長穴、及び又は前記受け台の水平方向に設けた長穴を備え、上記支えアームを上記受け台の側部に移動可能に取付部材にて固定形成したことを特徴とする。
【００１６】
請求項３の発明に係る容器固定ホルダは、上記請求項１記載の受け台の片側壁部又は両側壁部と上記押えリングの片側端縁又は両側端縁との間を連結する支えアームは、受け台の側壁部に設けた取付受具と支えアーム下端部に設けた係止部とからなる着脱自在の差込部材にて固定形成したことを特徴とする。
【００１７】
請求項４の発明に係る容器固定ホルダは、上記請求項２又は請求項３記載の取付部材又は差込部材の上部を覆うスライドカバーを設けて形成したことを特徴とする。
【発明の効果】
【００１８】
請求項１の発明に係る容器固定ホルダは、頂部に細口を有する容器に対して、この容器底部を収容する受け台と、この容器細口周辺を固定する押えリングと、上記受け台の片側壁部又は両側壁部と上記押えリングの片側端縁又は両側端縁との間を連結する支えアームと、を有するので、
移動や転倒、落下などすることなく安定設置することができる。また、持運びやイタズラ、盗難などを防止することができる。
【００１９】
請求項２の発明に係る容器固定ホルダは、上記請求項１記載の受け台を箱状に形成し、押えリングを円環状に形成し、支えアームを帯状に形成し、この支えアームの下端部に設けた上下方向の長穴及び又は前記受け台の水平方向に設けた長穴を備え、上記支えアームを上記受け台の側部に移動可能に取付部材にて固定形成したので、
容器の形状や大きさに対応して、上下及び前後に取付位置を調整して固定することができる。
【００２０】
請求項３の発明に係る容器固定ホルダは、上記請求項１記載の受け台の片側壁部又は両側壁部と上記押えリングの片側端縁又は両側端縁との間を連結する支えアームは、受け台の側壁部に設けた取付受具と支えアーム下端部に設けた係止部とからなる着脱自在の差込部材にて固定形成したので、
取付け取外しが簡単に出来、容器の交換設置が容易となる。
【００２１】
請求項４の発明に係る容器固定ホルダは、上記請求項２又は請求項３記載の取付部材又は差込部材の上部を覆うスライドカバーを設けて形成したので、
見栄えが良く、部外者の不要な取扱いを防止することができる。
【図面の簡単な説明】
【００２２】
【図１】本発明に係る容器固定ホルダの設置状況を示す斜視説明図である。
【図２】図１の容器のキャップの部分に手押しポンプを取付けた状況を示す図である。
【図３】押えリングと支えアームの第１事例を示す斜視図である。
【図４】押えリングと支えアームの第２事例を示す斜視図である。
【図５】取付け部近傍の第１の事例を示す図である。
【図６】取付け部近傍の第２の事例を示す図である。
【図７】取付け部近傍の第３の事例を示す図である。
【図８】取付け部近傍の第４の事例を示す図である。
【図９】取付け部近傍の第５の事例を示す図である。
【図１０】取付け部のスライドカバーの事例を示す図である。
【図１１】受け台背面の固定手段を示す斜視図である。
【図１２】一般的な角型と丸型の容器を示す斜視図である。
【発明を実施するための形態】
【００２３】
本発明に係る容器固定ホルダの実施形態例について図１から図１１に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２４】
図１は、本発明に係る容器固定ホルダの設置状況を示す斜視説明図である。
容器２１は、洗剤、薬剤、消毒液、化粧液などの液体を収容するボトルや缶で、細口のキャップ２４を有する角型の事例を示している。この容器２１はポンプ式ボトルとして、玄関入口や洗面所などのテーブルや台などの所定場所に置いて移動することなく安定設置して、手指の洗浄や消毒などに使用するものである。
本発明の容器固定ホルダは、容器２１の底部を収容する受け台１と、容器２１のキャップ２４周辺の首肩部を支える押えリング２と、受け台１の両側部と押えリング２の両端縁を連結する支えアーム３とで形成する。
受け台１は矩形や円形などの底板を有する箱形や皿形のトレー状に形成し、押えリング２は環状に形成し、支えアーム３は帯板状の部材でアーチ状に形成する。
この支えアーム３の両下端部を、受け台１の両側面の取付部５に取付金具４でネジ止め固定する。
【００２５】
容器２１の底部は受け台１のほぼ中央に収容し、容器２１の首肩周辺は押えリング２で確りと固定され、さらに支えアーム３によって受け台１の側面の取付部５に取付金具４で固定されるので、移動や転倒、落下などすることなく安定設置することができる。
また、容器２１の持運びや持去り盗難などを防止し、散布や汚しや火付けなどのイタズラを防止することができる。
さらに、容器固定ホルダを装着している状態であっても、容器２１の交換や内容液の補充も簡単に可能となる。
【００２６】
図２は丸型容器２１の事例で、肩部に押えリング２、支えアーム３を設置した事例で、容器２１の細口キャップ部を外して、手押ポンプ２２とノズル２３を差換えて取付けた使用状況を示している。
【００２７】
図３は、押えリング２と支えアーム３の第１事例を示す斜視図である。
押えリング２は、丸型や角型など何れの容器形状の肩部に均等に当るように円環状に形成した場合を示し、この押えリング２の両端縁から支えアーム３を延出する。支えアーム３は薄い帯板で形成した場合を示す。この支えアーム３の両端部近傍位置に、上下方向に沿って長穴３ａを設ける。
【００２８】
図４は、押えリング２と支えアーム３の第２事例を示す斜視図である。
押えリング２は円環状に形成した場合を示し、この押えリング２の片側端縁から一本の支えアーム３を延出する。この支えアーム３は曲がったり変形しない帯板や棒材などを組合せた構造部材で形成し、下端部近傍位置には上下方向に沿って長穴３ａを設ける。
【００２９】
図５は、支えアーム３を受け台１へ取り付ける第１の事例を示す図である。
受け台１の側面の取付部５に、取付金具４によって支えアーム３を取り付ける事例である。
矢印に示すように、上下方向に沿う長穴３ａによって支えアーム３の上下位置を調整し、容器の背高さに対応して固定することができる。
【００３０】
図６は、支えアーム３を受け台１へ取り付ける第２の事例を示す図である。
受け台１の側面を折り曲げて取付部６に形成し、この取付部６に水平方向に沿って長穴７を設けて、取付金具４によって支えアーム３を取り付ける事例である。
矢印に示すように、支えアーム３の上下方向に沿う長穴３ａによって高さ位置、及び水平方向沿う長穴７によって前後位置をそれぞれ調整し、容器の形状や大きさに対応して固定することができる。
【００３１】
図７は、第３の事例の取付け部近傍を示す図である。
８はスプリングバネ、９は係止ノブである。
受け台１の側面所定位置に、スプリングバネ８と係止ノブ９を取り付ける。
帯板状の支えアーム３の下部に、上下方向に沿う長穴１０と、この長穴１０の複数箇所に係止部１１を設ける。
支えアーム３を上下方向に移動し、係止ノブ９によって所定位置の係止部１１に確りと固定するように形成する。
このように、係止ノブ９は取外すことなく引張るだけで良いため、簡単に支えアーム３の係止部１１へ移動して容器の交換や容器の大きさへの対応を行うことができる。
【００３２】
図８は、第４の事例の取付け部近傍を示す図である。
受け台１の側面所定位置に、取付受具１２、１３を取り付ける。
取付受具１２（１３も同様、図示省略）には、鉛直方向の差込溝１２ａと水平方向の係止溝１２ｂを設ける。
支えアーム３の両下端部に、カギ状の係止部３ｂを設ける。
支えアーム３本体は内側に向かってやや弾力性を有するもので、上方向から係止部３ｂを取付受具１２の差込溝１２ａに合致させて差込み、次いで係止溝１２ｂに水平移動することによって取付受具１２に固定する。
なお、取付受具１２、１３は反転対称部材で形成し、矢印に示すように相互回転方向に移動して中心対称位置に固定する。
このように、係止部３ｂは差込構造の取付け部に簡単に着脱することができる。
【００３３】
図９は、第５の事例の取付け部近傍を示す図である。
受け台１の側面所定位置に、取付受具１４、１５を取り付ける。
取付受具１４（１５も同様、図示省略）は水平方向の中空筒体に形成し、この中空筒体の開口部１４ａから水平方向に沿って傾斜位置に開口する切り溝１４ｂと、その末端から円周方向に沿って真上位置まで開口する切り溝１４ｃを設ける。
支えアーム３本体は内側に向かって弾力性を有するもので、この支えアーム３の両下端部には、水平方向に延出し上記開口部１４ａに差込む棒状の係止部３ｃを設け、この係止部３ｃ表面の傾斜位置に、上記切り溝１４ｂから切り溝１４ｃに差込む突起３ｄを設ける。
上記内側に弾力性を有する支えアーム３は、図の矢印に示すように、傾斜状態で係止部３ｃを取付受具１４の開口部１４ａに差込み、突起３ｄを切り溝１４ｂに沿って水平移動し、さらに切り溝１４ｃに沿って回転移動して、垂直の真上位置に固定する。
このように、係止部３ｃは差込構造の取付け部に簡単に着脱することができる。
【００３４】
図１０（Ａ）、（Ｂ）は、取付け部の上面を覆うスライドカバー１６の事例を示す図である。
１６はスライドカバーで、受け台１への支えアーム３の取付け部、つまり取付金具４、係止ノブ９などの取付部材や、取付受具１２、１３、取付受具１４、１５などの差込部材の上面を覆うように形成する。
このスライドカバー１６は、合成ゴム材や合成樹脂材などの部材を用いて、支えアーム３に上下方向移動自在に（矢印で示す）取付ける。
（Ａ）に示す事例では、スライドカバー１６は、挿嵌する摺動部１６ａと、固定部材の上面を覆うキャップ部１６ｂと、このキャップ部１６ｂを被脱させる（右下矢印で示す）弾力部１６ｃとで形成し、容器の設置や取替の際には、弾力部１６ｃを介してキャップ部１６ｂを被脱し、摺動部１６ａを介して上下方向に移動して、適宜対応することができる。
（Ｂ）に示す事例では、スライドカバー１６は、挿嵌する摺動部１６ａと固定部材の上面を覆うキャップ部１６ｂとを一体形成し、容器の設置や取替の際には、摺動部１６ａを介して上下方向に移動することによって簡単に対応することができる。
このように、スライドカバー１６で取付け部（４、９、１２、１３、１４、１５）の上面を覆うことにより、取付部材を覆い隠すため、見栄えが良く、部外者の不要な取扱いやイタズラなどの防止にもなる。
【００３５】
図１１（Ａ）、（Ｂ）は、受け台１の固定手段の事例を示す図である。
（Ａ）は受け台１の背面に吸着盤１７を設けて壁やボード、タイルなどに吸着させて受け台１を固定するようにした事例である。
（Ｂ）は受け台１の背面に開口１９を設けておいて、この開口１９にクリップ状の固定具１８を装着して台２０の縁へ受け台１を固定するようにした事例である。
（Ａ）、（Ｂ）のように、受け台１を固定することによって、移動や持運びを防止し、盗難やイタズラ、火災事故などの発生をも防止することができる。
【産業上の利用可能性】
【００３６】
上記容器固定ホルダは、移動することなく所定場所に固定して使用する薬品、化粧品、飲料などを入れるボトル、缶など種々の容器にも適用することができる。
【符号の説明】
【００３７】
１受け台      
２押えリング      
３支えアーム      
３ａ上下方向の長穴      
４取付金具      
５取付部      
６取付口      
７水平方向の長穴      
８スプリング      
９係止ノブ      
１０上下方向の長穴      
１１係止部      
１２取付受具      
１３取付受具      
１４取付受具      
１５取付受具      
１６スライドカバー      
１７吸着盤      
１８固定具      
１９開口      
２０台      
２１容器      
２２手押ポンプ      
２３ノズル      
２４キャップ
【図１】
2015048092.tif 000003
【図２】
2015048092.tif 000004
【図３】
2015048092.tif 000005
【図４】
2015048092.tif 000006
【図５】
2015048092.tif 000007
【図６】
2015048092.tif 000008
【図７】
2015048092.tif 000009
【図８】
2015048092.tif 000010
【図９】
2015048092.tif 000011
【図１０】
2015048092.tif 000012
【図１１】
2015048092.tif 000013
【図１２】
2015048092.tif 000014